(57)【要約】【課題】本発明は都市森林ガーデン建築物及び建築物群を提供する。【解決手段】都市森林ガーデン建築物は第１住戸タイプと第２住戸タイプが設置された奇数階と、第３住戸タイプと第４住戸タイプが設置された偶数階とを含み、第１住戸タイプに対応する奇数階の第１空中緑化ベランダは第１方向に設置され、第２住戸タイプに対応する奇数階の第２空中緑化ベランダは第２方向に設置され、第３住戸タイプに対応する偶数階の第１空中緑化ベランダは第３方向に設置され、第４住戸タイプに対応する偶数階の第２空中緑化ベランダは第４方向に設置され、奇数階の第１空中緑化ベランダ、奇数階の第２空中緑化ベランダ、偶数階の第１空中緑化ベランダ及び偶数階の第２空中緑化ベランダと正面から対応する上の階の外壁面には、そのプライバシーを強化するために、高窓又は側方向開き窓のみ設置されている。【選択図】図１
2016217123.tif 000002
【特許請求の範囲】
【請求項１】
都市森林ガーデン建築物であって、
奇数階、偶数階、建築物外壁面、及び建築物外壁面の四つの方向に設置された四つの大型屋外プライベートガーデンを含み、
前記四つの大型屋外プライベートガーデンは奇数階の第１プライベートガーデン（１ａ）、奇数階の第２プライベートガーデン（２ａ）、偶数階の第１プライベートガーデン（３ａ）及び偶数階の第２プライベートガーデン（４ａ）を含み、
奇数階には第１住戸タイプと第２住戸タイプが設置され、前記第１住戸タイプに対応する前記奇数階の第１プライベートガーデン（１ａ）は第１方向に設置され、前記第２住戸タイプに対応する前記奇数階の第２プライベートガーデン（２ａ）は第２方向に設置され、前記第１方向と前記第２方向は異なる方向であり、
前記偶数階には第３住戸タイプと第４住戸タイプが設置され、前記第３住戸タイプに対応する前記偶数階の第１プライベートガーデン（３ａ）は第３方向に設置され、前記第４住戸タイプに対応する前記偶数階の第２プライベートガーデン（４ａ）は第４方向に設置され、前記第３方向と前記第4方向は異なる方向であり、
各階のプライベートガーデンに対応する外壁面以外に、前記奇数階の第１プライベートガーデン（１ａ）、奇数階の第２プライベートガーデン（２ａ）、偶数階の第１プライベートガーデン（３ａ）及び偶数階の第２プライベートガーデン（４ａ）と正面から対応する上の階の外壁面には高窓又は側方向開き窓のみを設置し、前記奇数階の第１プライベートガーデン（１ａ）、奇数階の第２プライベートガーデン（２ａ）、偶数階の第１プライベートガーデン（３ａ）及び偶数階の第２プライベートガーデン（４ａ）に対応していない外壁面にのみ低窓又はフランス窓を設置して、そのプライバシーを強化することを特徴とする都市森林ガーデン建築物。
【請求項２】
前記奇数階の第１住戸タイプは偶数階の第３住戸タイプと垂直に対応し、前記第１住戸タイプと第３住戸タイプは同じく、前記奇数階の第２住戸タイプは偶数階第４住戸タイプと垂直に対応し、前記第２住戸タイプと第４住戸タイプは同じであることを特徴とする請求項１に記載の都市森林ガーデン建築物。
【請求項３】
前記奇数階の第１プライベートガーデン（１ａ）、奇数階の第２プライベートガーデン（２ａ）、偶数階の第１プライベートガーデン（３ａ）、偶数階の第２プライベートガーデン（４ａ）は、交互に設置又は異なる方向に対応して設置されることができることを特徴とする請求項１に記載の都市森林ガーデン建築物。
【請求項４】
前記奇数階の第１プライベートガーデン（１ａ）、奇数階の第２プライベートガーデン（２ａ）、偶数階の第１プライベートガーデン（３ａ）及び偶数階の第２プライベートガーデン（４ａ）の高さは都市森林花園建築物の二階建築物の高さと同じであることを特徴とする請求項１に記載の都市森林花園建築物。
【請求項５】
前記奇数階の第１プライベートガーデン（１ａ）、前記奇数階の第２プライベートガーデン（２ａ）、前記偶数階の第１プライベートガーデン（３ａ）及び前記偶数階の第２プライベートガーデン（４ａ）は、建築物外壁梁（２４ａ）、プライベートガーデンを支持するコーベル（２５ａ）、プライベート花園アウトリガー（２６ａ）及びその上に舗装されたガーデン床フローアを含むコーベルアウトリガー構造であることを特徴とする請求項１に記載の都市森林花園建築物。
【請求項６】
前記奇数階の第１プライベートガーデン（１ａ）、奇数階の第２プライベートガーデン（２ａ）、偶数階の第１プライベートガーデン（３ａ）及び偶数階の第２プライベートガーデン（４ａ）にはいずれも花や樹木（２７ａ）が植えられていることを特徴とする請求項１に記載の都市森林花園建築物。
【請求項７】
前記奇数階の第１住戸タイプの壁面には奇数階の第１プライベートガーデン（１ａ）を出入りする取っ手付き窓（９ａ）が設置され、奇数階の第２住戸タイプの壁面には奇数階の第２プライベートガーデン（２ａ）を出入りする取っ手付き窓（１５ａ）が設置され、偶数階の第３住戸タイプの壁面には偶数階の第１プライベートガーデン（３ａ）を出入りする取っ手付き窓（１８ａ）が設置され、偶数階の第４住戸タイプの壁面には偶数階の第２プライベートガーデン（４ａ）を出入りする取っ手付き窓（１９ａ）が設置されていることを特徴とする請求項１に記載の都市森林花園建築物。
【請求項８】
前記第１住戸タイプ、第２住戸タイプ、第３住戸タイプ又は第４住戸タイプのリビングルームの取っ手付き窓は、該住戸タイプのプライベートガーデンと同一方向に設置され、プライベートガーデンに面する方向の上の階の窓付きのルームは補助用ルームとして用いられ、高窓が設置されていることを特徴とする請求項１に記載の都市森林花園建築物。
【請求項９】
前記奇数階の第１プライベートガーデン（１ａ）、奇数階の第２プライベートガーデン（２ａ）、偶数階の第１プライベートガーデン（３ａ）及び偶数階の第２プライベートガーデン（４ａ）に対応する上の階の外壁面に高窓を設置しなく、低窓又はフランス窓を設置する場合、下向きの視線を遮断されるように、その窓の下周縁部に大きい外部窓台板を設置しなければならないことを特徴とする請求項１に記載の都市森林ガーデン建築物。
【請求項１０】
都市森林ガーデン建築物であって、
奇数階、偶数階、建築物外壁面を含み、
それぞれの奇数階の住戸タイプに対応する外壁面にはいずれも上向きの二階建ての高さのプライベートガーデンが設置され、それぞれの偶数階の住戸タイプに対応する外壁面にはいずれも上向きの二階建ての高さのプライベートガーデンが設置され、
前記奇数階の住戸タイプとそれに垂直に対応する偶数階の住戸タイプとのプライベートガーデンはいずれも交互に設置又は異なる方向に向けて設置されることを特徴とする都市森林ガーデン建築物。
【請求項１１】
前記奇数階の複数の住戸タイプと偶数階の複数の住戸タイプは三住戸一基、四住戸一基、五住戸一基、六住戸一基、一住戸一基又は二住戸一基であることを特徴とする請求項１０に記載の都市森林ガーデン建築物。
【請求項１２】
前記奇数階の住戸タイプとそれに垂直に対応する偶数階の住戸タイプのプライベートガーデンは、それぞれ各リビングルームの方向の異なる外壁面からドアを開けて出入りすることを特徴とする請求項１０に記載の都市森林ガーデン建築物。
【請求項１３】
前記奇数階のプライベートガーデンと偶数階のプライベートガーデンに対応する上の階の壁面に開設された窓の下周縁部には、前記奇数階のプライベートガーデン又は偶数階のガーデンのプライバシーを強化するために、いずれも下向きの視線を遮断する外窓台板を設置しなければならないことを特徴とする請求項１０に記載の都市森林ガーデン建築物。
【請求項１４】
前記奇数階のプライベートガーデンと偶数階のプライベートガーデンに対応する上の階の壁面に窓が開設された部屋を、補助用部屋として設置し、又は前記奇数階のプライベートガーデンと偶数階のプライベートガーデンに対応する上の階の壁面に窓が開設された部屋を、高窓に設置することを特徴とする請求項１０に記載の都市森林花園建築物。
【請求項１５】
前記奇数階と偶数階の階数はその建築物に必要な高さに基づき繰り返して設置され、プライベートガーデンはその建築物の高さと住戸タイプの数に応じて対応的に設置されることを特徴とする請求項１０に記載の都市森林ガーデン建築物。
【請求項１６】
前記奇数階のプライベートガーデンと偶数階のプライベートガーデンの床板は、その上に土を覆って樹木を植えるために、沈下式及び床上支持梁構造を用いることを特徴とする請求項１０に記載の都市森林ガーデン建築物。
【請求項１７】
前記奇数階のプライベートガーデンと偶数階のプライベートガーデンは、いずれも建築物外壁梁、プライベートガーデンを支持するコーベルと床上支持梁、アウトリガー及びその梁の底部に舗設されるプライベートガーデンの鉄筋コンクリート床を含むコーベルアウトリガー構造であることを特徴とする請求項１０に記載の都市森林ガーデン建築物。
【請求項１８】
建築物群であって、
請求項１〜９のいずれかに記載の複数の前記都市森林ガーデン建築物、又は請求項１０〜１７のいずれかに記載の複数の前記都市森林ガーデン建築物を含むことを特徴とする建築物群。
【発明の詳細な説明】
【技術分野】
【０００１】
本発明は建築デザイン及び建築構築分野に関し、特に都市森林花園建築物及び建築物群に関する。
【背景技術】
【０００２】
従来、都市のあらゆる建築物は外壁を境界とし、一目でみると、人々に見られるものはいずれも建築物の外壁面及び鉄筋コンクリート建築物が立ち並ぶ建築物群であり、都市全体が退屈、枯渇したように見え、もっとも美しい太陽光、空気、空及び大自然全てが外壁により遮断されている。また、人々がこのような建築物に入ると途端に、世間から隔離されたような籠に入ったような感じがし、四面が壁に囲まれ、外界の太陽光、空気、大自然と完全に切り離される。ガーデンベランダがあるとしても、その高さが階と同じであり、面積が限られることで狭く居心地が悪く、そのため視線も狭くなり、光線も十分に入射されない。従って、ガーデンベランダ付きの建築物と言っても飾り物に過ぎず、正真正銘の屋外ガーデンの居住効果とイメージが全くない。
【０００３】
継続的な都市の発展、人類文明の進歩及び人々の生活レベルの向上に伴って、従来の建築物は都市環境の美観、緑化要求及び人々の美しい生活環境への居住ニーズを満たすことができなくなる。
【発明の概要】
【発明が解決しようとする課題】
【０００４】
上記技術的問題に鑑みて、本発明は都市森林花園建築物及び建築物群を提供する。
【課題を解決するための手段】
【０００５】
本発明の一態様によれば、奇数階、偶数階、建築物の外壁面、及び建築物外壁面の四つの方向に設置された四つの大型屋外プライベートガーデンを含む都市森林ガーデン建築物を提供し、該四つの大型屋外プライベートガーデンは奇数階の第１プライベートガーデン、奇数階の第２プライベートガーデン、偶数階の第１プライベートガーデン及び偶数階の第２プライベートガーデンを含み、前記奇数階には第１住戸タイプ及び第２住戸タイプの二つの住戸タイプが設置され、前記第１住戸タイプに対応する前記奇数階の第１プライベートガーデンは第１方向に設置され、前記第２住戸タイプに対応する前記奇数階の第２プライベートガーデンは第２方向に設置され、前記第１方向と前記第２方向は異なる方向であり、前記偶数階には第３住戸タイプ及び第４住戸タイプの二つの住戸タイプが設置され、前記第３住戸タイプに対応する前記偶数階の第１プライベートガーデンは第３方向に設置され、前記第４住戸タイプに対応する前記偶数階の第２プライベートガーデンは第４方向に設置され、前記第３方向と前記第４方向は異なる方向であり、そのプライバシー保護を強化するために、各階のプライベートガーデンに対応する外壁面を除き、前記奇数階の第１プライベートガーデン、奇数階の第２プライベートガーデン、偶数階の第１プライベートガーデン及び偶数階の第２プライベートガーデンと正面から対応する上の階の外壁面には、高窓又は側方向開き窓のみ設置され、前記奇数階の第１プライベートガーデン、奇数階の第２プライベートガーデン、偶数階の第１プライベートガーデン及び偶数階の第２プライベートガーデンに対応していない外壁面にのみ、低窓又はフランス窓が設置されている。
【０００６】
本発明の他の一態様によれば、さらに奇数階、偶数階、建築物外壁壁面を含む複数の住戸タイプの都市森林ガーデン建築物を提供し、それぞれの奇数階の住戸タイプに対応する外壁面にはいずれも上向きの二階建ての高さのプライベートガーデンが設置され、それぞれの偶数階の住戸タイプに対応する外壁面にはいずれも上向きの二階建ての高さのプライベートガーデンが設置され、前記奇数階の住戸タイプとそれに垂直に対応する偶数階の住戸タイプとのプライベートガーデンはいずれも交互に設置又は異なる方向に向けて設置されている。前記奇数階の住戸タイプとそれに垂直に対応する偶数階の住戸タイプとのプライベートガーデンはそれぞれ各リビングルームの方向の異なる外壁面からドアを開けて出入りし、前記奇数階のプライベートガーデンと偶数階のプライベートガーデンに対応する上の階の壁面に開設された窓の異なる下周縁部には、前記奇数階のプライベートガーデンと偶数階のガーデンのプライバシーを強化するために、いずれも下向きの視線を遮断する外窓台板を設置しなければならない。又は前記奇数階のプライベートガーデンと偶数階のプライベートガーデンに対応する上の階の壁面に窓が開設された部屋を、補助用部屋として設置し、又は前記奇数階のプライベートガーデンと偶数階のプライベートガーデンに対応する上の階の壁面に窓が開設された部屋を、高窓に設置する。
【０００７】
本発明に記載の原理によれば、前記奇数階と偶数階に対応する複数の住戸タイプのレイアウトは四住戸一基に設計するほか、さらに変更して三住戸一基、五住戸一基、六住戸一基、又は一住戸一基、二住戸一基などのいずれかの住戸タイプに設計してもよく、各階の住戸タイプの住戸数、大きさ又は面積はニーズに応じて自由に変更することができる。
【０００８】
本発明の他の一態様によれば、さらに上述のような複数の都市森林ガーデン建築物を含む建築物群を提供する。
【発明の効果】
【０００９】
本発明の好適な効果は、建築物の外壁と各階ごとの平面レイアウトにいずれも特別な全新のデザインを採用し、該建築物のあらゆる外壁及び外壁空間を十分に利用することで、外形から該新型建築体の枯渇する外壁面がほとんど見られず、外壁面から突出するガーデン内の草花樹木しか見えない。同時に、その巧みなデザインはそのガーデンに全方向からのプライバシーを保護し、部屋の採光性を向上し、同時にそのガーデンの空間の高さと建築物本体の二階建ての高さを同一にし、その空間の高さの快適感、空間感、採光及び視野は、従来の建築物の一階にのみ花園ベランダがある低い空間とは比べられず、二階高さのある花園ベランダの上の階のあちこちに窓があり、プライバシーが全くない従来建築物とは比較できないほど優れる。
【００１０】
本発明の独創設計した高さが二階建てと同様の屋外ガーデンは、その面積は非常に大きく、空間が高く、花や樹木を栽培するほか、星空も眺めることができ、三方向からの景色に囲まれる幅広い視野を有する。たとえ人々が高層建築物の部屋に住まうとしても、いつでも完全なプライバシーのある屋外ガーデンの花草樹木の中を歩き自然と親しみそして屋外と自然に融合することができる。
【図面の簡単な説明】
【００１１】
【図１】本発明の第１実施例におけるプライベートガーデンが建築物外壁に設けられている間取り図である。
【図２】本発明の第１実施例における建築物の一階平面図である。
【図３】本発明の第１実施例における奇数階の住戸タイプ及びそのプライベートガーデンである。
【図４】本発明の第１実施例における偶数階の住戸タイプ及びそのプライベートガーデンである。
【図５】本発明の第１実施例における複数棟の建築物からなる建築物群である。
【図６】本発明の第１実施例における一棟建築物のＡ立面図である。
【図７】本発明の第１実施例における一棟建築物のＡ立面効果図である。
【図８】本発明の第２実施例における四住戸一基（複数住戸のタイプ）総合間取り図である。
【図９】本発明の第２実施例における四住戸一基（複数住戸のタイプ）の一階平面図である。
【図１０】本発明の第２実施例における四住戸一基（複数住戸タイプ）奇数階平面図である。
【図１１】本発明の第２実施例における四住戸一基（複数住戸のタイプ）偶数階平面図である。
【図１２】本発明の第２実施例における二住戸一基総合間取り図である。
【図１３】本発明の第２実施例における三住戸一基（複数住戸のタイプ）総合間取り図である。
【図１４】本発明の第２実施例における六住戸一基（複数住戸のタイプ）総合間取り図である。
【図１５】図１５Ａは、本発明の第２実施例における四住戸一基（複数住戸のタイプ）建築物の南北立面図及び東西立面図である。図１５Ｂは、本発明の第２実施例における四住戸一基（複数住戸のタイプ）建築物の南北立面図及び東西立面図である。
【図１６】図１６Ａは、本発明の第２実施例における四住戸一基（複数住戸のタイプ）建築物の「空中緑化ベランダ」の緑化後効果図である。図１６Ｂは、本発明の第２実施例における四住戸一基（複数住戸のタイプ）建築物の「空中緑化ベランダ」の緑化後効果図である。
【図１７】本発明の第２実施例における四住戸一基（複数住戸のタイプ）建築物群（町）全体平面図である。  説明すべきことは、これらの図面に一住戸一基と五住戸一基の詳細間取り図が挙げられていないが、奇数階と偶数階の住戸の数を限定するものではなく、また各階の住戸の数、大きさ及び面積はニーズに応じて自由に変更することができる。
【発明を実施するための形態】
【００１２】
以下、図面により本願の例示的な実施例をより詳しく説明する。図面中に本願の例示的実施例を示すが、理解すべきことは、さまざまな形態で本願を実現し、ここで記述した実施例に限定されるものではない。逆に、これらの実施例を提供する目的としては、本願を徹底に把握し、また本願の範囲を当業者に完全に伝えるためである。
【００１３】
第１実施例
図１〜７に示すように、本発明の実施例は、奇数階、偶数階、建築物外壁面、及び建築物外壁面の四つの方向に設置される四つの大型屋外プライベートガーデンを含む都市森林ガーデン建築物を提供する。
【００１４】
そのうち、四つの大型屋外プライベートガーデンは、奇数階第１プライベートガーデン１ａ、奇数階第２プライベートガーデン２ａ、偶数階第１プライベートガーデン３ａ、偶数階第２プライベートガーデン４ａを含む。
【００１５】
奇数階には第１住戸タイプ及び第２住戸タイプが設置され、第１住戸タイプに対応する第１奇数階ガーデン１ａは第１方向に設置され、第２住戸タイプに対応する第２奇数階ガーデン２ａは第２方向に設置され、第１方向と第２方向は異なる方向である。
【００１６】
偶数階には第３住戸タイプ及び第４住戸タイプが設置され、第３住戸タイプに対応する偶数階第１プライベートガーデン３ａは第３方向に設置され、第４住戸タイプに対応する偶数階第２プライベートガーデン４ａは第４方向に設置され、第３方向と第４方向は異なる方向である。
【００１７】
そのプライバシーを強化するため、各階のプライベートガーデンに対応する外壁面を除き、奇数階第１プライベートガーデン１ａ、奇数階第２プライベートガーデン２ａ、偶数階第１プライベートガーデン３ａ及び偶数階第２プライベートガーデン４ａと正面から対応する上の階の外壁面には高窓と側方向開き窓のみ設置され、奇数階第１プライベートガーデン１ａ、奇数階第２プライベートガーデン２ａ、偶数階第１プライベートガーデン３ａ及び偶数階第２プライベートガーデン４ａがない外壁面にのみ低窓又はフランス窓が設置される。
【００１８】
図１〜４に示すように、奇数階第１住戸タイプは偶数階第３住戸タイプに垂直に対応し、且つ第１住戸タイプと第３住戸タイプは同じであり、奇数階第２住戸タイプは偶数階第４住戸タイプに垂直に対応し、且つ第２住戸タイプと第４住戸タイプは同じである。
【００１９】
図１〜４に示すように、奇数階第１プライベートガーデン１ａ及び奇数階第２プライベートガーデン２ａと、偶数階第１プライベートガーデン３ａ及び偶数階第２プライベートガーデン４ａとは、交互に設置され又は異なる方向に対応して設置される。
【００２０】
前記奇数階第１プライベートガーデン１ａ、奇数階第２プライベートガーデン２ａ、偶数階第１プライベートガーデン３ａ及び偶数階第２プライベートガーデン４ａに対応する上の階の外壁面に高窓を設置する代わりに、低窓又はフランス窓を設置する場合、下への視線が遮断されるように、その窓の下周縁部に大きい外窓台板を設置しなければならない。
【００２１】
図６、７に示すように、奇数階第１プライベートガーデン１ａ、奇数階第２プライベートガーデン２ａ、偶数階第１プライベートガーデン３ａ及び偶数階第２プライベートガーデン４ａの高さは該棟都市森林ガーデン建築物の２階建物の高さと同じである。
【００２２】
図６に示すように、奇数階第１プライベートガーデン１ａ、奇数階第２プライベートガーデン２ａ、偶数階第１プライベートガーデン３ａ及び偶数階第２プライベートガーデン４ａは、建築物外壁梁２４ａ、プライベートガーデンを支持するコーベル２５ａ、プライベートガーデンアウトリガー２６ａ及びその上に舗装されるガーデン床板を含むコーベルアウトリガー構造である。プライベートガーデンは、外壁面全体を基本的に覆うように、外壁に対し長さ１〜２０メートル、幅さ１〜３０メートル伸びられる。
【００２３】
図７に示すように、奇数階第１プライベートガーデン１ａ、奇数階第２プライベートガーデン２ａ、偶数階第１プライベートガーデン３ａ及び偶数階第２プライベートガーデン４ａには花や樹木２７ａが植えられ、それにより都市森林ガーデン建築物は樹木が茂る山の頂上のようである（図７に示す）。
【００２４】
また図１〜４に示すように、奇数階第１住戸タイプの壁面には奇数階第１プライベートガーデン１ａに出入りする取っ手付き窓９ａが設置され、奇数階第２住戸タイプの壁面には奇数階第２プライベートガーデン２ａに出入りする取っ手付き窓１５ａが設置され、偶数階第３住戸タイプの壁面には偶数階第１プライベートガーデン３ａに出入りする取っ手付き窓１８ａが設置され、偶数階第４住戸タイプの壁面には偶数階第２プライベートガーデン４ａに出入りする取っ手付き窓１９ａが設置される。
【００２５】
本発明の他一実施例において、第１住戸タイプ、第２住戸タイプ、第３住戸タイプ又は第４住戸タイプのリビングルームの取っ手付き窓は該住戸タイプのプライベートガーデンと同一方向に設置され（図３に表示される記号９ａ、１５ａと図４に表示される記号１８ａ、１９ａ）、該住戸タイプの主寝室の採光面はプライベートガーデンを避けて設置され（図１に表示される記号５ａ、６ａ、１１ａ、１２ａ）、副寝室又は書斎の採光面はプライベートガーデンの側方向に設置され（図１に表示される記号８ａ、１０ａ、１４ａ、１６ａ）、プライベートガーデンに向かう方向の上の階の窓が設置されているルームを補助用ルームとし、例えばキッチン、メイドルーム又はトイレなど、高窓を設置する（図１に表示される記号７ａ、１３ａ、２８ａ）。
【００２６】
図５に示すように、本発明の実施例はさらに複数の上記森林ガーデン建築物を含む建築物群を提供し、遠くから眺めると、都市中の不規則であるが気持ちよい森のようである。
【００２７】
好ましくは、上記都市森林ガーデン建築物の使用機能としてホテル、レストラン、バー、オフィスビル及び住宅のいずれかの一つである。
【００２８】
第２実施例
本実施例において、都市森林花園建築物は奇数階、偶数階、建築物外壁壁面を含み、それぞれの奇数階の住戸タイプに対応する外壁面にはいずれも上に向けて二階高さのプライベートガーデンが設置され、それぞれの偶数階の住戸タイプに対応する外壁面には上に向けて二階高さのプライベートガーデンが設置され、前記奇数階の住戸タイプ（住戸）とそれに垂直対応する偶数階の住戸タイプ（住戸）とのプライベートガーデンはいずれも交互に設置され又は異なる方向に設置される。前記奇数階の住戸タイプ（住戸）とそれに垂直対応する偶数階の住戸タイプ（住戸）とのプライベートガーデンはそれぞれのリビングの異なる方向の外壁壁面からドアを開いて出入りできる。
【００２９】
好ましくは、奇数階の複数住戸タイプと偶数階の住戸タイプは三住戸一基、四住戸一基、五住戸一基、六住戸一基、又は一住戸一基、二住戸一基である。説明すべきことは、本実施例に奇数階と偶数階の住戸タイプの数を限定するものではない。
【００３０】
図８に、奇数階と偶数階の住戸タイプの数はいずれも四戸を示す。そのうちそれぞれの奇数階の住戸タイプとそれぞれの偶数階の住戸タイプはいずれも一つの空中緑化ベランダに対応し、具体的に、奇数階Ａ住戸タイプ空中緑化ベランダ１ｂ、偶数階Ａ住戸タイプ空中緑化ベランダ２ｂ、偶数階Ｂ住戸タイプ空中緑化ベランダ３ｂ、奇数階Ｂ住戸タイプ空中緑化ベランダ４ｂ、奇数階Ｃ住戸タイプ空中緑化ベランダ５ｂ、偶数階Ｃ住戸タイプ空中緑化ベランダ６ｂ、偶数階Ｄ住戸タイプ空中緑化ベランダ７ｂ及び奇数階Ｄ住戸タイプ空中緑化ベランダ８ｂを含む。
【００３１】
また図８に示すように、偶数階の住戸タイプに対し、副寝室フランス窓９ｂ（直接採光可能）と主寝室フランス窓１０ｂ（直接採光可能）を設置でき、さらに主寝室トイレ窓１４ｂ（直接採光可能）も設置できる。
【００３２】
また図８に示すように、奇数階の住戸タイプに対し、リビングからその空中緑化ベランダへの取っ手付き窓１１ｂ、キッチン窓１２ｂ（空中緑化ベランダに対応する上の階は高窓又は外窓台板を設置する）、メイドルーム窓１３ｂ（空中緑化ベランダに対応する上の階は高窓又は外窓台板を設置する）及び空中緑化ベランダに対応する上の階に開設される低窓の下周縁部に設置される外窓台板１５ｂを設置することができる。
【００３３】
図９に、四住戸一基の一階玄関ドア１６ａと一階Ｃ住戸タイプ主寝室窓１７ｂの位置を示す。
【００３４】
図１０に、四住戸一基奇数階平面図を示し、該奇数階は、奇数階Ａ住戸タイプ空中緑化ベランダ１ｂ、奇数階Ｂ住戸タイプ空中緑化ベランダ４ｂ、奇数階Ｃ住戸タイプ空中緑化ベランダ５ｂ及び奇数階Ｄ住戸タイプ空中緑化ベランダ８ｂを含む。
【００３５】
図１１に、四住戸一基の偶数階平面図を示し、該偶数階は、偶数階Ａ住戸タイプ空中緑化ベランダ２ｂ、偶数階Ｂ住戸タイプ空中緑化ベランダ３ｂ、偶数階Ｃ住戸タイプ空中緑化ベランダ６ｂ及び偶数階Ｄ住戸タイプ空中緑化ベランダ７ｂを含む。
【００３６】
図１２〜１４に、二住戸一基、三住戸一基及び六住戸一基の総合間取り図を示す。説明すべきことは、本実施例に奇数階と偶数階の住戸タイプの数を限定するものではない。
【００３７】
図１５Ａ〜１５Ｂに示すように、奇数階プライベートガーデンと偶数階プライベートガーデンはいずれもコーベルアウトリガー構造であり、前記コーベルアウトリガー構造は、建築物外壁梁（図示せず）、プライベートガーデンを支持するコーベル１８ｂ及び床上支持梁（図示せず）、アウトリガー（図示せず）及びその梁底部に舗設されるプライベートガーデンの鉄筋コンクリート床１９ｂを含む。本実施例において、奇数階と偶数階の階数はその建築物に必要な高さにより繰り返して設置され、プライベートガーデンはその建物高さと住戸タイプの数に応じて設置する。
【００３８】
図１６Ａ〜１６Ｂに示すように、奇数階プライベートガーデンと偶数階プライベートガーデンの床板は、その上に樹木を植えるように、沈下式及び床上支持梁構造であり、前記奇数階プライベートガーデンと偶数階プライベートガーデンにはいずれも花草樹木２０ｂが植えられ、さらに奇数階プライベートガーデンと偶数階プライベートガーデンにいずれも自動点滴灌漑又は散水灌漑システム及び排水システムが設置される。
【００３９】
図１７に、四住戸一基の建築物群（町）における大門２１ｂ、側門２２ｂ及び景観２３ｂの位置を示す。説明すべきことは、本実施例にその具体的な位置を限定するものではない。
【００４０】
好ましくは、前記奇数階プライベートガーデンと偶数階プライベートガーデンに対応する上の階の壁面に開設される窓の下周縁部には、前記奇数階プライベートガーデンと偶数階プライベートガーデンのプライバシーを強化するように、いずれも下への視線を遮断する外窓台板が設置される。
【００４１】
好ましくは、前記奇数階プライベートガーデンと偶数階プライベートガーデンに対応する上の階の壁面に窓を開設する部屋は、補助用部屋として設置され、又は前記奇数階プライベートガーデンと偶数階プライベートガーデンに対応する上の階の壁面に窓を開設する部屋は、高窓が設置される。
【００４２】
第３実施例
本発明の他一態様によれば、さらに第２実施例に記載の複数の都市森林花園建築物を含む建築物を提供し、そのうち、上記都市森林ガーデン建築物の使用機能としてホテル、レストラン、バー、オフィスビル及び住宅のいずれかの一つである。
【００４３】
以上は本発明を実施するための好ましい形態であり、説明すべきことは当業者に対し、本発明の原理を逸脱しない限り、いずれの改善と修飾がなされてもよく、これらの改善と修飾は本発明の保護範囲内に含まれる。
【符号の説明】
【００４４】
１ａ．奇数階第１住戸タイププライベートガーデン
２ａ．奇数階第２住戸タイププライベートガーデン
３ａ．偶数階第１住戸タイププライベートガーデン
４ａ．偶数階第２住戸タイププライベートガーデン
５ａ．奇数階と偶数階との第１住戸タイプ主寝室フランス窓
６ａ．奇数階と偶数階との第１住戸タイプ第２主寝室フランス窓
７ａ．奇数階第１住戸タイプキッチン及びトイレ小窓（該住戸タイプのガーデンの直上階は高窓であるが、低窓が設置される場合、窓の下周縁部に大きい外窓台板を設置しなければならない」
８ａ．奇数階第１住戸タイプメイドルームの側方向小窓（該住戸タイプのガーデンの直上階は、窓の下周縁部に大きい外窓台板を設置しなければならない）
９ａ．奇数階第１住戸タイプのリビングルームからそのプライベートガーデンへの取っ手付き窓
１０ａ．偶数階第１住戸タイプの副寝室側窓（該住戸タイプのガーデンの直上階は、窓の下周縁部に大きい外窓台板を設置しなければならない）
１１ａ．奇数階と偶数階との第２住戸タイプ主寝室フランス窓
１２ａ．奇数階と偶数階との第２住戸タイプ主寝室フランス窓
１３ａ．奇数階第２住戸タイプの主寝室トイレ及びメイドルーム小窓（該住戸タイプのガーデンの直上階は高窓であるが、低窓が設置される場合、窓の下周縁部に大きい外窓台板を設置しなければならない）
１４ａ．奇数階第２住戸タイプのキッチン側方向小窓（該住戸タイプのガーデンの直上階は、窓の下周縁部に大きい外窓台板を設置しなければならない）
１５ａ．奇数階第２住戸タイプのリビングルームからそのプライベートガーデンへの取っ手付き窓
１６ａ．偶数階第２住戸タイプ書斎又は副寝室側窓（該住戸タイプのガーデンの直上階は、窓の下周縁部に大きい外窓台板を設置しなければならない）
１７ａ．建築物一階玄関ドア
１８ａ．偶数階第１住戸タイプのリビングルームからそのプライベートガーデンへの取っ手付き窓
１９ａ．偶数階第２住戸タイプのリビングルームからそのプライベートガーデンへの取っ手付き窓
２０ａ．建築物群の一正門
２１ａ．建築物群の一側門
２１ａ．建築物群の他一側門
２１ａ．建築物群の一景観
２４ａ．建築物外壁梁
２５ａ．プライベートガーデンを支持するコーベル
２６ａ．プライベート花園アウトリガー
２７ａ．プライベートガーデンに植えられる花や樹木
２８ａ．階段間高窓
１ｂ．奇数階Ａ住戸タイプの空中緑化ベランダ
２ｂ．偶数階Ａ住戸タイプの空中緑化ベランダ
３ｂ．偶数階Ｂ住戸タイプの空中緑化ベランダ
４ｂ．奇数階Ｂ住戸タイプの空中緑化ベランダ
５ｂ．奇数階Ｃ住戸タイプの空中緑化ベランダ
６ｂ．偶数階Ｃ住戸タイプの空中緑化ベランダ
７ｂ．偶数階Ｄ住戸タイプの空中緑化ベランダ
８ｂ．奇数階Ｄ住戸タイプの空中緑化ベランダ
９ｂ．副寝室フランス窓（直接採光可能）
１０ｂ．主寝室フランス窓（直接採光可能）
１１ｂ．リビングからその空中緑化ベランダへの取っ手付き窓
１２ｂ．キッチン窓（空中緑化ベランダに対応する直上階は高窓又は外窓台板を設置する）
１３ｂ．メイドルーム窓（空中緑化ベランダに対応する直上階は高窓又は外窓台板を設置する）
１４ｂ．主寝室トイレ窓（直接採光可能）
１５ｂ．空中緑化ベランダに対応する直上階に開設される低窓の下周縁部に外窓台板を設置する
１６ｂ．一階玄関ドア
１７ｂ．一階Ｃ住戸タイプの主寝室窓
１８ｂ．空中緑化ベランダを支持するコーベル
１９ｂ．空中緑化ベランダ鉄筋コンクリート床
２０ｂ．空中緑化ベランダに植えられる花や樹木
２１ｂ．建築物群（町）の一大門
２２ｂ．建築物群（町）の一側門
２３ｂ．建築物群（町）の一景観
【図１】
2016217123.tif 000003
【図２】
2016217123.tif 000004
【図３】
2016217123.tif 000005
【図４】
2016217123.tif 000006
【図５】
2016217123.tif 000007
【図６】
2016217123.tif 000008
【図７】
2016217123.tif 000009
【図８】
2016217123.tif 000010
【図９】
2016217123.tif 000011
【図１０】
2016217123.tif 000012
【図１１】
2016217123.tif 000013
【図１２】
2016217123.tif 000014
【図１３】
2016217123.tif 000015
【図１４】
2016217123.tif 000016
【図１５】
2016217123.tif 000017
【図１６】
2016217123.tif 000018
【図１７】
2016217123.tif 000019
【手続補正書】
【提出日】平成28年3月29日(2016.3.29)
【手続補正１】
【補正対象書類名】明細書
【補正対象項目名】全文
【補正方法】変更
【補正の内容】
【発明の詳細な説明】
【技術分野】
【０００１】
本発明は建築デザイン及び建築構築分野に関し、特に都市森林花園建築物及び建築物群に関する。
【背景技術】
【０００２】
従来、都市のあらゆる建築物は外壁を境界とし、一目でみると、人々に見られるものはいずれも建築物の外壁面及び鉄筋コンクリート建築物が立ち並ぶ建築物群であり、都市全体が退屈、枯渇したように見え、もっとも美しい太陽光、空気、空及び大自然全てが外壁により遮断されている。また、人々がこのような建築物に入ると途端に、世間から隔離されたような籠に入ったような感じがし、四面が壁に囲まれ、外界の太陽光、空気、大自然と完全に切り離される。ガーデンベランダがあるとしても、その高さが階と同じであり、面積が限られることで狭く居心地が悪く、そのため視線も狭くなり、光線も十分に入射されない。従って、ガーデンベランダ付きの建築物と言っても飾り物に過ぎず、正真正銘の屋外ガーデンの居住効果とイメージが全くない。
【０００３】
継続的な都市の発展、人類文明の進歩及び人々の生活レベルの向上に伴って、従来の建築物は都市環境の美観、緑化要求及び人々の美しい生活環境への居住ニーズを満たすことができなくなる。
【発明の概要】
【発明が解決しようとする課題】
【０００４】
上記技術的問題に鑑みて、本発明は都市森林花園建築物及び建築物群を提供する。
【課題を解決するための手段】
【０００５】
本発明の一態様によれば、奇数階、偶数階、建築物の外壁面、及び建築物外壁面の四つの方向に設置された四つの大型屋外空中緑化ベランダを含む都市森林ガーデン建築物を提供し、該四つの大型屋外空中緑化ベランダは奇数階の第１空中緑化ベランダ、奇数階の第２空中緑化ベランダ、偶数階の第１空中緑化ベランダ及び偶数階の第２空中緑化ベランダを含み、前記奇数階には第１住戸タイプ及び第２住戸タイプの二つの住戸タイプが設置され、前記第１住戸タイプに対応する前記奇数階の第１空中緑化ベランダは第１方向に設置され、前記第２住戸タイプに対応する前記奇数階の第２空中緑化ベランダは第２方向に設置され、前記第１方向と前記第２方向は異なる方向であり、前記偶数階には第３住戸タイプ及び第４住戸タイプの二つの住戸タイプが設置され、前記第３住戸タイプに対応する前記偶数階の第１空中緑化ベランダは第３方向に設置され、前記第４住戸タイプに対応する前記偶数階の第２空中緑化ベランダは第４方向に設置され、前記第３方向と前記第４方向は異なる方向であり、そのプライバシー保護を強化するために、各階の空中緑化ベランダに対応する外壁面を除き、前記奇数階の第１空中緑化ベランダ、奇数階の第２空中緑化ベランダ、偶数階の第１空中緑化ベランダ及び偶数階の第２空中緑化ベランダと正面から対応する上の階の外壁面には、高窓又は側方向開き窓のみ設置され、前記奇数階の第１空中緑化ベランダ、奇数階の第２空中緑化ベランダ、偶数階の第１空中緑化ベランダ及び偶数階の第２空中緑化ベランダに対応していない外壁面にのみ、低窓又はフランス窓が設置されている。
【０００６】
本発明の他の一態様によれば、さらに奇数階、偶数階、建築物外壁壁面を含む複数の住戸タイプの都市森林ガーデン建築物を提供し、それぞれの奇数階の住戸タイプに対応する外壁面にはいずれも上向きの二階建ての高さの空中緑化ベランダが設置され、それぞれの偶数階の住戸タイプに対応する外壁面にはいずれも上向きの二階建ての高さの空中緑化ベランダが設置され、前記奇数階の住戸タイプとそれに垂直に対応する偶数階の住戸タイプとの空中緑化ベランダはいずれも交互に設置又は異なる方向に向けて設置されている。前記奇数階の住戸タイプとそれに垂直に対応する偶数階の住戸タイプとの空中緑化ベランダはそれぞれ各リビングルームの方向の異なる外壁面からドアを開けて出入りし、前記奇数階の空中緑化ベランダと偶数階の空中緑化ベランダに対応する上の階の壁面に開設された窓の異なる下周縁部には、前記奇数階の空中緑化ベランダと偶数階のガーデンのプライバシーを強化するために、いずれも下向きの視線を遮断する外窓台板を設置しなければならない。又は前記奇数階の空中緑化ベランダと偶数階の空中緑化ベランダに対応する上の階の壁面に窓が開設された部屋を、補助用部屋として設置し、又は前記奇数階の空中緑化ベランダと偶数階の空中緑化ベランダに対応する上の階の壁面に窓が開設された部屋を、高窓に設置する。
【０００７】
本発明に記載の原理によれば、前記奇数階と偶数階に対応する複数の住戸タイプのレイアウトは四住戸一基に設計するほか、さらに変更して三住戸一基、五住戸一基、六住戸一基、又は一住戸一基、二住戸一基などのいずれかの住戸タイプに設計してもよく、各階の住戸タイプの住戸数、大きさ又は面積はニーズに応じて自由に変更することができる。
【０００８】
本発明の他の一態様によれば、さらに上述のような複数の都市森林ガーデン建築物を含む建築物群を提供する。
【発明の効果】
【０００９】
本発明の好適な効果は、建築物の外壁と各階ごとの平面レイアウトにいずれも特別な全新のデザインを採用し、該建築物のあらゆる外壁及び外壁空間を十分に利用することで、外形から該新型建築体の枯渇する外壁面がほとんど見られず、外壁面から突出するガーデン内の草花樹木しか見えない。同時に、その巧みなデザインはそのガーデンに全方向からのプライバシーを保護し、部屋の採光性を向上し、同時にそのガーデンの空間の高さと建築物本体の二階建ての高さを同一にし、その空間の高さの快適感、空間感、採光及び視野は、従来の建築物の一階にのみ花園ベランダがある低い空間とは比べられず、二階高さのある花園ベランダの上の階のあちこちに窓があり、プライバシーが全くない従来建築物とは比較できないほど優れる。
【００１０】
本発明の独創設計した高さが二階建てと同様の屋外ガーデンは、その面積は非常に大きく、空間が高く、花や樹木を栽培するほか、星空も眺めることができ、三方向からの景色に囲まれる幅広い視野を有する。たとえ人々が高層建築物の部屋に住まうとしても、いつでも完全なプライバシーのある屋外ガーデンの花草樹木の中を歩き自然と親しみそして屋外と自然に融合することができる。
【図面の簡単な説明】
【００１１】
【図１】本発明の第１実施例における空中緑化ベランダが建築物外壁に設けられている間取り図である。
【図２】本発明の第１実施例における建築物の一階平面図である。
【図３】本発明の第１実施例における奇数階の住戸タイプ及びその空中緑化ベランダである。
【図４】本発明の第１実施例における偶数階の住戸タイプ及びその空中緑化ベランダである。
【図５】本発明の第１実施例における複数棟の建築物からなる建築物群である。
【図６】本発明の第１実施例における一棟建築物のＡ立面図である。
【図７】本発明の第１実施例における一棟建築物のＡ立面効果図である。
【図８】本発明の第２実施例における四住戸一基（複数住戸のタイプ）総合間取り図である。
【図９】本発明の第２実施例における四住戸一基（複数住戸のタイプ）の一階平面図である。
【図１０】本発明の第２実施例における四住戸一基（複数住戸タイプ）奇数階平面図である。
【図１１】本発明の第２実施例における四住戸一基（複数住戸のタイプ）偶数階平面図である。
【図１２】本発明の第２実施例における二住戸一基総合間取り図である。
【図１３】本発明の第２実施例における三住戸一基（複数住戸のタイプ）総合間取り図である。
【図１４】本発明の第２実施例における六住戸一基（複数住戸のタイプ）総合間取り図である。
【図１５】図１５Ａは、本発明の第２実施例における四住戸一基（複数住戸のタイプ）建築物の南北立面図及び東西立面図である。図１５Ｂは、本発明の第２実施例における四住戸一基（複数住戸のタイプ）建築物の南北立面図及び東西立面図である。
【図１６】図１６Ａは、本発明の第２実施例における四住戸一基（複数住戸のタイプ）建築物の「空中緑化ベランダ」の緑化後効果図である。図１６Ｂは、本発明の第２実施例における四住戸一基（複数住戸のタイプ）建築物の「空中緑化ベランダ」の緑化後効果図である。
【図１７】本発明の第２実施例における四住戸一基（複数住戸のタイプ）建築物群（町）全体平面図である。  説明すべきことは、これらの図面に一住戸一基と五住戸一基の詳細間取り図が挙げられていないが、奇数階と偶数階の住戸の数を限定するものではなく、また各階の住戸の数、大きさ及び面積はニーズに応じて自由に変更することができる。
【発明を実施するための形態】
【００１２】
以下、図面により本願の例示的な実施例をより詳しく説明する。図面中に本願の例示的実施例を示すが、理解すべきことは、さまざまな形態で本願を実現し、ここで記述した実施例に限定されるものではない。逆に、これらの実施例を提供する目的としては、本願を徹底に把握し、また本願の範囲を当業者に完全に伝えるためである。
【００１３】
第１実施例
図１〜７に示すように、本発明の実施例は、奇数階、偶数階、建築物外壁面、及び建築物外壁面の四つの方向に設置される四つの大型屋外空中緑化ベランダを含む都市森林ガーデン建築物を提供する。
【００１４】
そのうち、四つの大型屋外空中緑化ベランダは、奇数階第１空中緑化ベランダ１ａ、奇数階第２空中緑化ベランダ２ａ、偶数階第１空中緑化ベランダ３ａ、偶数階第２空中緑化ベランダ４ａを含む。
【００１５】
奇数階には第１住戸タイプ及び第２住戸タイプが設置され、第１住戸タイプに対応する第１奇数階ガーデン１ａは第１方向に設置され、第２住戸タイプに対応する第２奇数階ガーデン２ａは第２方向に設置され、第１方向と第２方向は異なる方向である。
【００１６】
偶数階には第３住戸タイプ及び第４住戸タイプが設置され、第３住戸タイプに対応する偶数階第１空中緑化ベランダ３ａは第３方向に設置され、第４住戸タイプに対応する偶数階第２空中緑化ベランダ４ａは第４方向に設置され、第３方向と第４方向は異なる方向である。
【００１７】
そのプライバシーを強化するため、各階の空中緑化ベランダに対応する外壁面を除き、奇数階第１空中緑化ベランダ１ａ、奇数階第２空中緑化ベランダ２ａ、偶数階第１空中緑化ベランダ３ａ及び偶数階第２空中緑化ベランダ４ａと正面から対応する上の階の外壁面には高窓と側方向開き窓のみ設置され、奇数階第１空中緑化ベランダ１ａ、奇数階第２空中緑化ベランダ２ａ、偶数階第１空中緑化ベランダ３ａ及び偶数階第２空中緑化ベランダ４ａがない外壁面にのみ低窓又はフランス窓が設置される。
【００１８】
図１〜４に示すように、奇数階第１住戸タイプは偶数階第３住戸タイプに垂直に対応し、且つ第１住戸タイプと第３住戸タイプは同じであり、奇数階第２住戸タイプは偶数階第４住戸タイプに垂直に対応し、且つ第２住戸タイプと第４住戸タイプは同じである。
【００１９】
図１〜４に示すように、奇数階第１空中緑化ベランダ１ａ及び奇数階第２空中緑化ベランダ２ａと、偶数階第１空中緑化ベランダ３ａ及び偶数階第２空中緑化ベランダ４ａとは、交互に設置され又は異なる方向に対応して設置される。
【００２０】
前記奇数階第１空中緑化ベランダ１ａ、奇数階第２空中緑化ベランダ２ａ、偶数階第１空中緑化ベランダ３ａ及び偶数階第２空中緑化ベランダ４ａに対応する上の階の外壁面に高窓を設置する代わりに、低窓又はフランス窓を設置する場合、下への視線が遮断されるように、その窓の下周縁部に大きい外窓台板を設置しなければならない。
【００２１】
図６、７に示すように、奇数階第１空中緑化ベランダ１ａ、奇数階第２空中緑化ベランダ２ａ、偶数階第１空中緑化ベランダ３ａ及び偶数階第２空中緑化ベランダ４ａの高さは該棟都市森林ガーデン建築物の２階建物の高さと同じである。
【００２２】
図６に示すように、奇数階第１空中緑化ベランダ１ａ、奇数階第２空中緑化ベランダ２ａ、偶数階第１空中緑化ベランダ３ａ及び偶数階第２空中緑化ベランダ４ａは、建築物外壁梁２４ａ、空中緑化ベランダを支持するコーベル２５ａ、空中緑化ベランダアウトリガー２６ａ及びその上に舗装されるガーデン床板を含むコーベルアウトリガー構造である。空中緑化ベランダは、外壁面全体を基本的に覆うように、外壁に対し長さ１〜２０メートル、幅さ１〜３０メートル伸びられる。
【００２３】
図７に示すように、奇数階第１空中緑化ベランダ１ａ、奇数階第２空中緑化ベランダ２ａ、偶数階第１空中緑化ベランダ３ａ及び偶数階第２空中緑化ベランダ４ａには花や樹木２７ａが植えられ、それにより都市森林ガーデン建築物は樹木が茂る山の頂上のようである（図７に示す）。
【００２４】
また図１〜４に示すように、奇数階第１住戸タイプの壁面には奇数階第１空中緑化ベランダ１ａに出入りする取っ手付き窓９ａが設置され、奇数階第２住戸タイプの壁面には奇数階第２空中緑化ベランダ２ａに出入りする取っ手付き窓１５ａが設置され、偶数階第３住戸タイプの壁面には偶数階第１空中緑化ベランダ３ａに出入りする取っ手付き窓１８ａが設置され、偶数階第４住戸タイプの壁面には偶数階第２空中緑化ベランダ４ａに出入りする取っ手付き窓１９ａが設置される。
【００２５】
本発明の他一実施例において、第１住戸タイプ、第２住戸タイプ、第３住戸タイプ又は第４住戸タイプのリビングルームの取っ手付き窓は該住戸タイプの空中緑化ベランダと同一方向に設置され（図３に表示される記号９ａ、１５ａと図４に表示される記号１８ａ、１９ａ）、該住戸タイプの主寝室の採光面は空中緑化ベランダを避けて設置され（図１に表示される記号５ａ、６ａ、１１ａ、１２ａ）、副寝室又は書斎の採光面は空中緑化ベランダの側方向に設置され（図１に表示される記号８ａ、１０ａ、１４ａ、１６ａ）、空中緑化ベランダに向かう方向の上の階の窓が設置されているルームを補助用ルームとし、例えばキッチン、メイドルーム又はトイレなど、高窓を設置する（図１に表示される記号７ａ、１３ａ、２８ａ）。
【００２６】
図５に示すように、本発明の実施例はさらに複数の上記森林ガーデン建築物を含む建築物群を提供し、遠くから眺めると、都市中の不規則であるが気持ちよい森のようである。
【００２７】
好ましくは、上記都市森林ガーデン建築物の使用機能としてホテル、レストラン、バー、オフィスビル及び住宅のいずれかの一つである。
【００２８】
第２実施例
本実施例において、都市森林花園建築物は奇数階、偶数階、建築物外壁壁面を含み、それぞれの奇数階の住戸タイプに対応する外壁面にはいずれも上に向けて二階高さの空中緑化ベランダが設置され、それぞれの偶数階の住戸タイプに対応する外壁面には上に向けて二階高さの空中緑化ベランダが設置され、前記奇数階の住戸タイプ（住戸）とそれに垂直対応する偶数階の住戸タイプ（住戸）との空中緑化ベランダはいずれも交互に設置され又は異なる方向に設置される。前記奇数階の住戸タイプ（住戸）とそれに垂直対応する偶数階の住戸タイプ（住戸）との空中緑化ベランダはそれぞれのリビングの異なる方向の外壁壁面からドアを開いて出入りできる。
【００２９】
好ましくは、奇数階の複数住戸タイプと偶数階の住戸タイプは三住戸一基、四住戸一基、五住戸一基、六住戸一基、又は一住戸一基、二住戸一基である。説明すべきことは、本実施例に奇数階と偶数階の住戸タイプの数を限定するものではない。
【００３０】
図８に、奇数階と偶数階の住戸タイプの数はいずれも四戸を示す。そのうちそれぞれの奇数階の住戸タイプとそれぞれの偶数階の住戸タイプはいずれも一つの空中緑化ベランダに対応し、具体的に、奇数階Ａ住戸タイプ空中緑化ベランダ１ｂ、偶数階Ａ住戸タイプ空中緑化ベランダ２ｂ、偶数階Ｂ住戸タイプ空中緑化ベランダ３ｂ、奇数階Ｂ住戸タイプ空中緑化ベランダ４ｂ、奇数階Ｃ住戸タイプ空中緑化ベランダ５ｂ、偶数階Ｃ住戸タイプ空中緑化ベランダ６ｂ、偶数階Ｄ住戸タイプ空中緑化ベランダ７ｂ及び奇数階Ｄ住戸タイプ空中緑化ベランダ８ｂを含む。
【００３１】
また図８に示すように、偶数階の住戸タイプに対し、副寝室フランス窓９ｂ（直接採光可能）と主寝室フランス窓１０ｂ（直接採光可能）を設置でき、さらに主寝室トイレ窓１４ｂ（直接採光可能）も設置できる。
【００３２】
また図８に示すように、奇数階の住戸タイプに対し、リビングからその空中緑化ベランダへの取っ手付き窓１１ｂ、キッチン窓１２ｂ（空中緑化ベランダに対応する上の階は高窓又は外窓台板を設置する）、メイドルーム窓１３ｂ（空中緑化ベランダに対応する上の階は高窓又は外窓台板を設置する）及び空中緑化ベランダに対応する上の階に開設される低窓の下周縁部に設置される外窓台板１５ｂを設置することができる。
【００３３】
図９に、四住戸一基の一階玄関ドア１６ａと一階Ｃ住戸タイプ主寝室窓１７ｂの位置を示す。
【００３４】
図１０に、四住戸一基奇数階平面図を示し、該奇数階は、奇数階Ａ住戸タイプ空中緑化ベランダ１ｂ、奇数階Ｂ住戸タイプ空中緑化ベランダ４ｂ、奇数階Ｃ住戸タイプ空中緑化ベランダ５ｂ及び奇数階Ｄ住戸タイプ空中緑化ベランダ８ｂを含む。
【００３５】
図１１に、四住戸一基の偶数階平面図を示し、該偶数階は、偶数階Ａ住戸タイプ空中緑化ベランダ２ｂ、偶数階Ｂ住戸タイプ空中緑化ベランダ３ｂ、偶数階Ｃ住戸タイプ空中緑化ベランダ６ｂ及び偶数階Ｄ住戸タイプ空中緑化ベランダ７ｂを含む。
【００３６】
図１２〜１４に、二住戸一基、三住戸一基及び六住戸一基の総合間取り図を示す。説明すべきことは、本実施例に奇数階と偶数階の住戸タイプの数を限定するものではない。
【００３７】
図１５Ａ〜１５Ｂに示すように、奇数階空中緑化ベランダと偶数階空中緑化ベランダはいずれもコーベルアウトリガー構造であり、前記コーベルアウトリガー構造は、建築物外壁梁（図示せず）、空中緑化ベランダを支持するコーベル１８ｂ及び床上支持梁（図示せず）、アウトリガー（図示せず）及びその梁底部に舗設される空中緑化ベランダの鉄筋コンクリート床１９ｂを含む。本実施例において、奇数階と偶数階の階数はその建築物に必要な高さにより繰り返して設置され、空中緑化ベランダはその建物高さと住戸タイプの数に応じて設置する。
【００３８】
図１６Ａ〜１６Ｂに示すように、奇数階空中緑化ベランダと偶数階空中緑化ベランダの床板は、その上に樹木を植えるように、沈下式及び床上支持梁構造であり、前記奇数階空中緑化ベランダと偶数階空中緑化ベランダにはいずれも花草樹木２０ｂが植えられ、さらに奇数階空中緑化ベランダと偶数階空中緑化ベランダにいずれも自動点滴灌漑又は散水灌漑システム及び排水システムが設置される。
【００３９】
図１７に、四住戸一基の建築物群（町）における大門２１ｂ、側門２２ｂ及び景観２３ｂの位置を示す。説明すべきことは、本実施例にその具体的な位置を限定するものではない。
【００４０】
好ましくは、前記奇数階空中緑化ベランダと偶数階空中緑化ベランダに対応する上の階の壁面に開設される窓の下周縁部には、前記奇数階空中緑化ベランダと偶数階空中緑化ベランダのプライバシーを強化するように、いずれも下への視線を遮断する外窓台板が設置される。
【００４１】
好ましくは、前記奇数階空中緑化ベランダと偶数階空中緑化ベランダに対応する上の階の壁面に窓を開設する部屋は、補助用部屋として設置され、又は前記奇数階空中緑化ベランダと偶数階空中緑化ベランダに対応する上の階の壁面に窓を開設する部屋は、高窓が設置される。
【００４２】
第３実施例
本発明の他一態様によれば、さらに第２実施例に記載の複数の都市森林花園建築物を含む建築物を提供し、そのうち、上記都市森林ガーデン建築物の使用機能としてホテル、レストラン、バー、オフィスビル及び住宅のいずれかの一つである。
【００４３】
以上は本発明を実施するための好ましい形態であり、説明すべきことは当業者に対し、本発明の原理を逸脱しない限り、いずれの改善と修飾がなされてもよく、これらの改善と修飾は本発明の保護範囲内に含まれる。
【符号の説明】
【００４４】
１ａ．奇数階第１住戸タイプ空中緑化ベランダ
２ａ．奇数階第２住戸タイプ空中緑化ベランダ
３ａ．偶数階第１住戸タイプ空中緑化ベランダ
４ａ．偶数階第２住戸タイプ空中緑化ベランダ
５ａ．奇数階と偶数階との第１住戸タイプ主寝室フランス窓
６ａ．奇数階と偶数階との第１住戸タイプ第２主寝室フランス窓
７ａ．奇数階第１住戸タイプキッチン及びトイレ小窓（該住戸タイプのガーデンの直上階は高窓であるが、低窓が設置される場合、窓の下周縁部に大きい外窓台板を設置しなければならない」
８ａ．奇数階第１住戸タイプメイドルームの側方向小窓（該住戸タイプのガーデンの直上階は、窓の下周縁部に大きい外窓台板を設置しなければならない）
９ａ．奇数階第１住戸タイプのリビングルームからその空中緑化ベランダへの取っ手付き窓
１０ａ．偶数階第１住戸タイプの副寝室側窓（該住戸タイプのガーデンの直上階は、窓の下周縁部に大きい外窓台板を設置しなければならない）
１１ａ．奇数階と偶数階との第２住戸タイプ主寝室フランス窓
１２ａ．奇数階と偶数階との第２住戸タイプ主寝室フランス窓
１３ａ．奇数階第２住戸タイプの主寝室トイレ及びメイドルーム小窓（該住戸タイプのガーデンの直上階は高窓であるが、低窓が設置される場合、窓の下周縁部に大きい外窓台板を設置しなければならない）
１４ａ．奇数階第２住戸タイプのキッチン側方向小窓（該住戸タイプのガーデンの直上階は、窓の下周縁部に大きい外窓台板を設置しなければならない）
１５ａ．奇数階第２住戸タイプのリビングルームからその空中緑化ベランダへの取っ手付き窓
１６ａ．偶数階第２住戸タイプ書斎又は副寝室側窓（該住戸タイプのガーデンの直上階は、窓の下周縁部に大きい外窓台板を設置しなければならない）
１７ａ．建築物一階玄関ドア
１８ａ．偶数階第１住戸タイプのリビングルームからその空中緑化ベランダへの取っ手付き窓
１９ａ．偶数階第２住戸タイプのリビングルームからその空中緑化ベランダへの取っ手付き窓
２０ａ．建築物群の一正門
２１ａ．建築物群の一側門
２１ａ．建築物群の他一側門
２１ａ．建築物群の一景観
２４ａ．建築物外壁梁
２５ａ．空中緑化ベランダを支持するコーベル
２６ａ．プライベート花園アウトリガー
２７ａ．空中緑化ベランダに植えられる花や樹木
２８ａ．階段間高窓
１ｂ．奇数階Ａ住戸タイプの空中緑化ベランダ
２ｂ．偶数階Ａ住戸タイプの空中緑化ベランダ
３ｂ．偶数階Ｂ住戸タイプの空中緑化ベランダ
４ｂ．奇数階Ｂ住戸タイプの空中緑化ベランダ
５ｂ．奇数階Ｃ住戸タイプの空中緑化ベランダ
６ｂ．偶数階Ｃ住戸タイプの空中緑化ベランダ
７ｂ．偶数階Ｄ住戸タイプの空中緑化ベランダ
８ｂ．奇数階Ｄ住戸タイプの空中緑化ベランダ
９ｂ．副寝室フランス窓（直接採光可能）
１０ｂ．主寝室フランス窓（直接採光可能）
１１ｂ．リビングからその空中緑化ベランダへの取っ手付き窓
１２ｂ．キッチン窓（空中緑化ベランダに対応する直上階は高窓又は外窓台板を設置する）
１３ｂ．メイドルーム窓（空中緑化ベランダに対応する直上階は高窓又は外窓台板を設置する）
１４ｂ．主寝室トイレ窓（直接採光可能）
１５ｂ．空中緑化ベランダに対応する直上階に開設される低窓の下周縁部に外窓台板を設置する
１６ｂ．一階玄関ドア
１７ｂ．一階Ｃ住戸タイプの主寝室窓
１８ｂ．空中緑化ベランダを支持するコーベル
１９ｂ．空中緑化ベランダ鉄筋コンクリート床
２０ｂ．空中緑化ベランダに植えられる花や樹木
２１ｂ．建築物群（町）の一大門
２２ｂ．建築物群（町）の一側門
２３ｂ．建築物群（町）の一景観
【手続補正２】
【補正対象書類名】特許請求の範囲
【補正対象項目名】全文
【補正方法】変更
【補正の内容】
【特許請求の範囲】
【請求項１】
都市森林ガーデン建築物であって、
奇数階、偶数階、建築物外壁面、及び建築物外壁面の四つの方向に設置された四つの大型屋外空中緑化ベランダを含み、
前記四つの大型屋外空中緑化ベランダは奇数階の第１空中緑化ベランダ（１ａ）、奇数階の第２空中緑化ベランダ（２ａ）、偶数階の第１空中緑化ベランダ（３ａ）及び偶数階の第２空中緑化ベランダ（４ａ）を含み、
奇数階には第１住戸タイプと第２住戸タイプが設置され、前記第１住戸タイプに対応する前記奇数階の第１空中緑化ベランダ（１ａ）は第１方向に設置され、前記第２住戸タイプに対応する前記奇数階の第２空中緑化ベランダ（２ａ）は第２方向に設置され、前記第１方向と前記第２方向は異なる方向であり、
前記偶数階には第３住戸タイプと第４住戸タイプが設置され、前記第３住戸タイプに対応する前記偶数階の第１空中緑化ベランダ（３ａ）は第３方向に設置され、前記第４住戸タイプに対応する前記偶数階の第２空中緑化ベランダ（４ａ）は第４方向に設置され、前記第３方向と前記第4方向は異なる方向であり、
各階の空中緑化ベランダに対応する外壁面以外に、前記奇数階の第１空中緑化ベランダ（１ａ）、奇数階の第２空中緑化ベランダ（２ａ）、偶数階の第１空中緑化ベランダ（３ａ）及び偶数階の第２空中緑化ベランダ（４ａ）と正面から対応する上の階の外壁面には高窓又は側方向開き窓のみを設置し、前記奇数階の第１空中緑化ベランダ（１ａ）、奇数階の第２空中緑化ベランダ（２ａ）、偶数階の第１空中緑化ベランダ（３ａ）及び偶数階の第２空中緑化ベランダ（４ａ）に対応していない外壁面にのみ低窓又はフランス窓を設置して、そのプライバシーを強化することを特徴とする都市森林ガーデン建築物。
【請求項２】
前記奇数階の第１住戸タイプは偶数階の第３住戸タイプと垂直に対応し、前記第１住戸タイプと第３住戸タイプは同じく、前記奇数階の第２住戸タイプは偶数階第４住戸タイプと垂直に対応し、前記第２住戸タイプと第４住戸タイプは同じであることを特徴とする請求項１に記載の都市森林ガーデン建築物。
【請求項３】
前記奇数階の第１空中緑化ベランダ（１ａ）、奇数階の第２空中緑化ベランダ（２ａ）、偶数階の第１空中緑化ベランダ（３ａ）、偶数階の第２空中緑化ベランダ（４ａ）は、交互に設置又は異なる方向に対応して設置されることができることを特徴とする請求項１に記載の都市森林ガーデン建築物。
【請求項４】
前記奇数階の第１空中緑化ベランダ（１ａ）、奇数階の第２空中緑化ベランダ（２ａ）、偶数階の第１空中緑化ベランダ（３ａ）及び偶数階の第２空中緑化ベランダ（４ａ）の高さは都市森林花園建築物の二階建築物の高さと同じであることを特徴とする請求項１に記載の都市森林花園建築物。
【請求項５】
前記奇数階の第１空中緑化ベランダ（１ａ）、前記奇数階の第２空中緑化ベランダ（２ａ）、前記偶数階の第１空中緑化ベランダ（３ａ）及び前記偶数階の第２空中緑化ベランダ（４ａ）は、建築物外壁梁（２４ａ）、空中緑化ベランダを支持するコーベル（２５ａ）、プライベート花園アウトリガー（２６ａ）及びその上に舗装されたガーデン床フローアを含むコーベルアウトリガー構造であることを特徴とする請求項１に記載の都市森林花園建築物。
【請求項６】
前記奇数階の第１空中緑化ベランダ（１ａ）、奇数階の第２空中緑化ベランダ（２ａ）、偶数階の第１空中緑化ベランダ（３ａ）及び偶数階の第２空中緑化ベランダ（４ａ）にはいずれも花や樹木（２７ａ）が植えられていることを特徴とする請求項１に記載の都市森林花園建築物。
【請求項７】
前記奇数階の第１住戸タイプの壁面には奇数階の第１空中緑化ベランダ（１ａ）を出入りする取っ手付き窓（９ａ）が設置され、奇数階の第２住戸タイプの壁面には奇数階の第２空中緑化ベランダ（２ａ）を出入りする取っ手付き窓（１５ａ）が設置され、偶数階の第３住戸タイプの壁面には偶数階の第１空中緑化ベランダ（３ａ）を出入りする取っ手付き窓（１８ａ）が設置され、偶数階の第４住戸タイプの壁面には偶数階の第２空中緑化ベランダ（４ａ）を出入りする取っ手付き窓（１９ａ）が設置されていることを特徴とする請求項１に記載の都市森林花園建築物。
【請求項８】
前記第１住戸タイプ、第２住戸タイプ、第３住戸タイプ又は第４住戸タイプのリビングルームの取っ手付き窓は、該住戸タイプの空中緑化ベランダと同一方向に設置され、空中緑化ベランダに面する方向の上の階の窓付きのルームは補助用ルームとして用いられ、高窓が設置されていることを特徴とする請求項１に記載の都市森林花園建築物。
【請求項９】
前記奇数階の第１空中緑化ベランダ（１ａ）、奇数階の第２空中緑化ベランダ（２ａ）、偶数階の第１空中緑化ベランダ（３ａ）及び偶数階の第２空中緑化ベランダ（４ａ）に対応する上の階の外壁面に高窓を設置しなく、低窓又はフランス窓を設置する場合、下向きの視線を遮断されるように、その窓の下周縁部に大きい外部窓台板を設置しなければならないことを特徴とする請求項１に記載の都市森林ガーデン建築物。
【請求項１０】
都市森林ガーデン建築物であって、
奇数階、偶数階、建築物外壁面を含み、
それぞれの奇数階の住戸タイプに対応する外壁面にはいずれも上向きの二階建ての高さの空中緑化ベランダが設置され、それぞれの偶数階の住戸タイプに対応する外壁面にはいずれも上向きの二階建ての高さの空中緑化ベランダが設置され、
前記奇数階の住戸タイプとそれに垂直に対応する偶数階の住戸タイプとの空中緑化ベランダはいずれも交互に設置又は異なる方向に向けて設置されることを特徴とする都市森林ガーデン建築物。
【請求項１１】
前記奇数階の複数の住戸タイプと偶数階の複数の住戸タイプは三住戸一基、四住戸一基、五住戸一基、六住戸一基、一住戸一基又は二住戸一基であることを特徴とする請求項１０に記載の都市森林ガーデン建築物。
【請求項１２】
前記奇数階の住戸タイプとそれに垂直に対応する偶数階の住戸タイプの空中緑化ベランダは、それぞれ各リビングルームの方向の異なる外壁面からドアを開けて出入りすることを特徴とする請求項１０に記載の都市森林ガーデン建築物。
【請求項１３】
前記奇数階の空中緑化ベランダと偶数階の空中緑化ベランダに対応する上の階の壁面に開設された窓の下周縁部には、前記奇数階の空中緑化ベランダ又は偶数階のガーデンのプライバシーを強化するために、いずれも下向きの視線を遮断する外窓台板を設置しなければならないことを特徴とする請求項１０に記載の都市森林ガーデン建築物。
【請求項１４】
前記奇数階の空中緑化ベランダと偶数階の空中緑化ベランダに対応する上の階の壁面に窓が開設された部屋を、補助用部屋として設置し、又は前記奇数階の空中緑化ベランダと偶数階の空中緑化ベランダに対応する上の階の壁面に窓が開設された部屋を、高窓に設置することを特徴とする請求項１０に記載の都市森林花園建築物。
【請求項１５】
前記奇数階と偶数階の階数はその建築物に必要な高さに基づき繰り返して設置され、空中緑化ベランダはその建築物の高さと住戸タイプの数に応じて対応的に設置されることを特徴とする請求項１０に記載の都市森林ガーデン建築物。
【請求項１６】
前記奇数階の空中緑化ベランダと偶数階の空中緑化ベランダの床板は、その上に土を覆って樹木を植えるために、沈下式及び床上支持梁構造を用いることを特徴とする請求項１０に記載の都市森林ガーデン建築物。
【請求項１７】
前記奇数階の空中緑化ベランダと偶数階の空中緑化ベランダは、いずれも建築物外壁梁、空中緑化ベランダを支持するコーベルと床上支持梁、アウトリガー及びその梁の底部に舗設される空中緑化ベランダの鉄筋コンクリート床を含むコーベルアウトリガー構造であることを特徴とする請求項１０に記載の都市森林ガーデン建築物。
【請求項１８】
建築物群であって、
請求項１〜９のいずれかに記載の複数の前記都市森林ガーデン建築物、又は請求項１０〜１７のいずれかに記載の複数の前記都市森林ガーデン建築物を含むことを特徴とする建築物群。
【手続補正４】
【補正対象書類名】図面
【補正対象項目名】図１
【補正方法】変更
【補正の内容】
【図１】
2016217123.tif 000020
【手続補正５】
【補正対象書類名】図面
【補正対象項目名】図２
【補正方法】変更
【補正の内容】
【図２】
2016217123.tif 000021
【手続補正６】
【補正対象書類名】図面
【補正対象項目名】図３
【補正方法】変更
【補正の内容】
【図３】
2016217123.tif 000022
【手続補正７】
【補正対象書類名】図面
【補正対象項目名】図４
【補正方法】変更
【補正の内容】
【図４】
2016217123.tif 000023